(57)【要約】【課題】回路構成の簡易化、ＩＣチップサイズの小型化、低消費電力化、動作の安定化などが実現できる非接触タグの提供【解決手段】この発明は、アンテナコイル１１、ＲＦ回路１２、識別データ設定回路１３受信回路１４、表示器１６などを備える。識別データ設定回路１３は、任意の識別データを予め設定しておく。受信回路１４は、アンテナコイル１１の誘起電圧に基づいてリーダライタから送信される識別データおよび表示データをそれぞれ復調し、この復調した識別データが識別データ設定回路１３で設定されている識別データと一致するか否かを判定し、その両識別データが一致するときには、その復調した表示データを表示器１６に表示させる。表示器１６は、電気泳動ディスプレイからなる。【選択図】  図１
2006277266.tif 000002
【特許請求の範囲】
【請求項１】
リーダライタのアンテナコイルと電磁結合するタグ用アンテナコイルと、
前記タグ用アンテナコイルの誘起電圧を直流電圧に変換する電源回路と、
任意の識別データを予め設定しておく識別データ設定回路と、
表示データの表示を行う表示器と、
前記タグ用アンテナコイルの誘起電圧に基づいて前記リーダライタから送信される識別データおよび表示データをそれぞれ復調し、この復調した識別データが前記識別データ設定回路で設定されている識別データと一致するか否かを判定し、その両識別データが一致するときには、その復調した表示データを前記表示器に表示させる受信手段とを備え、
前記データ設定回路、前記表示器、および前記受信手段は前記電源回路の直流電圧でそれぞれ駆動するようになっていることを特徴とする非接触タグ。
【請求項２】
前記識別データ設定回路は、複数のデータ設定用端子を備え、
前記各データ設定用端子の一端側は共通接続されて接地され、
前記各データ設定用端子の他端側は、それぞれ抵抗を介して前記電源回路から共通の直流電圧が印加されるとともに、前記受信手段と接続され、
かつ、前記各データ設定用端子は、任意の識別データを設定の際に、その識別データに応じてデータ設定用端子を２つに切り離しまたは切り離さないようにしたことを特徴とする請求項１に記載の非接触タグ。
【請求項３】
前記各データ設定用端子は、その表面の所定位置に、前記切り離しの際の目印となる切り離し用マークを付したことを特徴とする請求項２に記載の非接触タグ。
【請求項４】
前記表示器は、電気泳動ディスプレイからなることを特徴とする請求項１、請求項２、または請求項３に記載の非接触タグ。
【発明の詳細な説明】
【技術分野】
【０００１】
本発明は、リーダライタから電力の供給を受けることにより、そのリーダライタからのデータを受信して表示できる非接触タグに関するものである。
【背景技術】
【０００２】
従来、非接触タグの一例として、リーダライタと接近することで電力の供給を受け、そのリーダライタとの間で双方向通信を行うことができる上に、各種の情報を表示できる表示器（表示素子）を備えたものが知られている（例えば、特許文献１参照）。
このように、従来の非接触タグでは、受信機能、送信機能、各種の制御機能、および表示機能を備える必要もある。
【０００３】
ところで、非接触タグを、商品の管理などに適用する場合には、それらの機能のうち全ての機能が必要ではなく、特定の機能を活用することにより、ＩＣチップサイズの小型化、低消費電力化、回路構成の簡易化による動作の安定化などが望まれる場合がある。
【特許文献１】特開２００４−２１２８８号公報
【発明の開示】
【発明が解決しようとする課題】
【０００４】
本発明の目的は、上記の点に鑑み、回路構成の簡易化、ＩＣチップサイズの小型化、低消費電力化、動作の安定化などが実現できる非接触タグを提供することにある。
【課題を解決するための手段】
【０００５】
上記の課題を解決し本発明の目的を達成するために、各発明は、以下のような構成からなる。
すなわち、第１の発明は、リーダライタのアンテナコイルと電磁結合するタグ用アンテナコイルと、前記タグ用アンテナコイルの誘起電圧を直流電圧に変換する電源回路と、任意の識別データを予め設定しておく識別データ設定回路と、表示データの表示を行う表示器と、前記タグ用アンテナコイルの誘起電圧に基づいて前記リーダライタから送信される識別データおよび表示データをそれぞれ復調し、この復調した識別データが前記識別データ設定回路で設定されている識別データと一致するか否かを判定し、その両識別データが一致するときには、その復調した表示データを前記表示器に表示させる受信手段とを備え、前記データ設定回路、前記表示器、および前記受信手段は前記電源回路の直流電圧でそれぞれ駆動するようになっている。
【０００６】
第２の発明は、第１の発明において、前記識別データ設定回路は、複数のデータ設定用端子を備え、前記各データ設定用端子の一端側は共通接続されて接地され、前記各データ設定用端子の他端側は、それぞれ抵抗を介して前記電源回路から共通の直流電圧が印加されるとともに、前記受信手段と接続され、かつ、前記各データ設定用端子は、任意の識別データを設定の際に、その識別データに応じてデータ設定用端子を２つに切り離しまたは切り離さないようにした。
【０００７】
第３の発明は、第２の発明において、前記各データ設定用端子は、その表面の所定位置に、前記切り離しの際の目印となる切り離し用マークを付されている。
第４の発明は、第１、第２、または第３の発明において、前記表示器は、電気泳動ディスプレイからなる。
以上のような構成からなる本発明によれば、表示データを必要に応じて表示器に確実に表示でき、その表示内容も長期にわたって保持が可能となる。
【０００８】
また、本発明によれば、回路構成の簡易化、ＩＣチップサイズの小型化、低消費電力化、動作の安定化などが実現できる。
【発明を実施するための最良の形態】
【０００９】
以下、本発明の実施形態について、図面を参照して説明する。
図１は、本発明の実施形態の非接触タグの構成を示すブロック図である。
この実施形態に係る非接触タグは、非接触タグの使用時に要求される識別データ（ＩＤデータ）を予め設定しておき、使用時に、リーダライタ（図示せず）から電力の供給を受けると、そのリーダライタからの識別データおよび表示データを受信し、受信した設識別データが設定されている識別データと一致したときに、受信した表示データを表示器に表示するものである。
【００１０】
このために、この実施形態に係る非接触タグは、図１に示すように、アンテナコイル１１と、ＲＦ回路（高周波回路）１２、識別データ設定回路１３と、受信回路１４と、表示制御回路１５と、表示器１６とを備えている。
ここで、受信回路１４と表示制御回路１５とは、クロックで動作するロジック部１７を構成する。また、受信回路１４と表示制御回路１５とは、受信手段を構成する。
【００１１】
以下、各構成要素について、具体的に説明する。
アンテナコイル１１は、図示しないリーダライタのアンテナコイルと電磁結合し、電磁誘導作用により誘起電圧を得るものである。
ＲＦ回路１２は、アンテナコイル１１の誘起電圧を直流電圧に変換して電源電圧（直流電圧）を得るものである。このようにＲＦ回路１２は電源回路として機能し、その電源電圧により、識別データ設定回路１３、ロジック部１７、および表示器１６がそれぞれ駆動されるようになっている。
【００１２】
また、ＲＦ回路１２は、アンテナコイル１１の誘起電圧（受信電圧）を後段の受信回路１４に出力するとともに、その受信電圧に基づいてクロックを抽出（生成）するようになっている。そのクロックは、ロジック部１７のクロック動作に使用される。
識別データ設定回路１３は、後述のように、任意の識別データを予め設定しておき、電源電圧が印加されたときに、その識別データを並列データの形態で受信回路１４に出力するための回路である。
【００１３】
受信回路１４は、アンテナコイル１１の誘起電圧に基づいてリーダライタから送信される識別データおよび表示データをそれぞれ復調するようになっている。また、受信回路１４は、その復調した識別データが識別データ設定回路１３で予め設定されている識別データと一致するか否かを判定し、その両識別データが一致するときには、その復調した表示データを表示制御回路１５に転送するようになっている。
【００１４】
表示制御回路１５は、受信回路１４から表示データが転送されたときに、その表示データを表示器１６に表示させるための制御を行う。表示器１６は、各種のものが使用できるが、例えば電気泳動ディスプレイが好ましい。電気泳動ディスプレイは、いったん表示データが表示されると、その表示内容が長期間にわたって消去されずに維持できるからである。
【００１５】
次に、図１に示す識別データ設定回路１３の具体的な構成について、図２および図３を参照して説明する。
この識別データ設定回路１３は、図２に示すように、導体からなる複数のデータ設定用端子１３１−１〜１３１−ｎと、複数の抵抗１３２−１〜１３２−ｎとを備えている。データ設定用端子１３１−１〜１３１−ｎの一端側は，共通接続されて接地されている。また、そのデータ設定用端子１３１−１〜１３１−ｎの他端側は、それぞれ抵抗１３２−１〜１３２−ｎを介してＲＦ回路１２から共通の直流電圧ＶＤＤが印加され、かつ、受信回路１４にそれぞれ接続されている。
【００１６】
このような識別データ設定回路１３では、使用者が任意の識別データを予め設定する場合には、その設定する識別データに応じて、データ設定用端子１３１−１〜１３１−ｎについて、それ自身を２つに切り離し、または切り離さないようにする。
例えば、図２において、データ設定用端子１３１−１、１３１−３を後述のようにそれぞれ電気的に２つに切り離しておき、他のデータ設定端子を電気的に２つに切り離さないものとする。この場合には、識別データ設定回路１３が動作して、抵抗１３２−１〜１３２−ｎに直流電圧ＶＤＤが印加されると、受信回路１４には識別データとして「１０１０・・・０」が並列データとして入力される。
【００１７】
次に、図２に示すデータ設定用端子１３１−１〜１３１−ｎの具体的な構成と、その使用方法について、図３を参照して説明する。
図３（Ａ）に示すように、データ設定用端子１３１−１〜１３１−ｎは、導体からなり絶縁基板３０上に形成されている。また、データ設定用端子１３１−１〜１３１−ｎの一端側は、絶縁基板３０上に形成された接地用配線３１に電気的に接続されている。さらに、データ設定用端子１３１−１〜１３１−ｎの他端側は、絶縁基板３０上に形成されたデータ入力用配線３２の一端側にそれぞれ接続され、その各データ入力用配線３２の他端側は受信回路（図示せず）に接続されている。
【００１８】
ここで、絶縁基板３０上には、図１に示すアンテナコイル１１、図１に示す各種の回路が集積回路化されたＩＣチップ、および図１に示す表示器１６がそれぞれ搭載され、これらは絶縁基板３０上で配線パターンにより電気的に接続されている。
次に、図３（Ａ）に示すような構成からなるデータ設定用端子１３１−１〜１３１−ｎを用いて、任意の識別データを設定する方法について説明する。
【００１９】
使用者が任意のユーザ識別データを予め設定するには、その設定する識別データに応じて、図３（Ａ）に示すデータ設定用端子１３１−１〜１３１−ｎについて、それ自身を電気的に２つに切り離すグループと切り離さないグループに分ける。
このグループ分けの結果、例えば、データ設定用端子１３１−１、１３１−３をそれぞれ電気的に２つに切り離し、他のデータ設定端子は電気的に２つに切り離さないことになったとする。
【００２０】
そこで、データ設定用端子１３１−１、１３１−３について、それ自身を電気的に２つに切り離すために、その各表面のほぼ中央の位置に、専用の貫通器具を使用して、データ設定用端子と絶縁基板３０とをそれぞれ貫通する貫通孔１３４を開ければ、図３（Ｂ）に示すような状態になる。この結果、データ設定用端子１３１−１、１３１−３は、その中央部分においてそれぞれ２つに切り離される。
【００２１】
なお、データ設定用端子１３１−１〜１３１−ｎは、その各表面の所定位置（この例ではほぼ中央）に、識別データを設定の際に、それ自身を電気的に切り離す際の目印となる切り離し用マークを付しておくのが好ましい。その各切り離し用マークは、例えば、データ設定用端子１３１−１〜１３１−ｎの表面に、それらの色とは異なる色で印刷するようにした。
【００２２】
次に、このような構成からなる実施形態の使用例（応用例）について説明する。
第１の使用例は、実施形態に係る非接触タグを表品の荷札として使用する場合である。この場合には、識別データ設定回路１３で設定するユーザ識別データを商品番号とする。また、表示器１６で表示する表示データは、その商品の価格とする。
この場合には、リーダライタは、送信データとして商品番号と価格の各データを送信する。非接触タグは、その各データをそれぞれ受信し、受信した商品番号が識別データ設定回路１３で設定されている商品番号と一致した場合に、受信した価格を表示器１６に表示させる。
【００２３】
第２の使用例は、実施形態に係る非接触タグをネームプレートとして使用する場合である。この場合には、識別データ設定回路１３で設定するユーザ識別データを登録番号とする。また、表示器１６で表示する表示データは、その表示したい項目（表示項目）とする。
この場合には、リーダライタは、送信データとして登録番号と表示項目の各データを送信する。非接触タグは、その各データをそれぞれ受信し、受信した登録番号が識別データ設定回路１３で設定されている登録番号と一致した場合に、受信した表示項目を表示器１６に表示させる。
【００２４】
第３の使用例は、実施形態に係る非接触タグを図書館などの貸し出しカードとして使用する場合である。この場合には、識別データ設定回路１３で設定するユーザ識別データを登録番号とする。また、表示器１６で表示する表示データは、貸し出し期限とする。
この場合には、リーダライタは、送信データとして登録番号と貸し出し期限の各データを送信する。非接触タグは、その各データをそれぞれ受信し、受信した登録番号が識別データ設定回路１３で設定されている登録番号と一致した場合に、受信した貸し出し期限を表示器１６に表示させる。
【００２５】
以上のように、この実施形態によれば、表示データを必要に応じて表示器に確実に表示でき、その表示内容も長期にわたって保持が可能となる。
また、この実施形態によれば、回路構成の簡易化、ＩＣチップサイズの小型化、低消費電力化、動作の安定化などが実現できる。
【図面の簡単な説明】
【００２６】
【図１】本発明の非接触タグの実施形態の構成を示すブロック図である。
【図２】図１の識別データ設定回路の具体的な構成を示す図である。
【図３】データ設定端子の構成を示す平面図であり、（Ａ）はデータ設定前の状態そ示し、（Ｂ）はデータ設定後の状態を示す。
【符号の説明】
【００２７】
１１・・・アンテナコイル、１２・・・ＲＦ回路（高周波回路）、１３・・・識別データ設定回路、１４・・・受信回路、１５・・・表示制御回路、１６・・・表示器、１３１−１〜１３１−ｎ・・・データ設定用端子、１３２−１〜１３２−ｎ・・・抵抗
【図１】
2006277266.tif 000003
【図２】
2006277266.tif 000004
【図３】
2006277266.tif 000005